(57)【特許請求の範囲】
【請求項１】
設置面に接触する基部と、前記基部の上方に配置される中空部材とを備え、前記基部は部分的球面の湾曲面を有し、前記湾曲面の曲率中心（Ｃｒ）は中心線（Ｌｃ）上にあって、使用時の全体の重心（Ｃｇ）は前記曲率中心（Ｃｒ）の下方に位置している照明装置において、前記基部は前記湾曲面の下側に前記設置面と接触する平面が形成され、前記湾曲面の上側に円筒部が形成され、前記基部は剛性の高い材料で構成され、そしてその内部には前記中空部材に空気を供給するファンと、発光体とを収容しており、そして空気取入口が設けられ、前記中空部材は可撓性を有し、そして透光性を有する材料で構成されており、前記ファンは前記中空部材を膨張させると共に発光体を冷却することを特徴とする照明装置。
【請求項２】
前記円筒部に空気取入口が設けられると共に発光体およびファン用の電源コネクタと連結用コネクタとが設けられることを特徴とする請求項１に記載の照明装置。
【発明の詳細な説明】
【技術分野】
【０００１】
本発明は、例えば工事現場等に配置される照明装置に関する。より詳細には、使用時には路面或いは床面に対して直立した状態で設置され、物或いは人が衝突して傾いたとしても、直立状態に復帰することが出来る照明装置に関する。
【背景技術】
【０００２】
工事現場等に配置され、使用時には路面或いは床面に対して直立して状態で設置される照明装置として、例えば、台車、電源、電球を内部に収容し、膨張・収縮自在な照明バルーンと、照明バルーンの昇降装置を備えており、バルーンの膨張／収縮操作及びバルーンの傾斜角度の調整を容易に行う機能を有するバルーン照明機が開示されている（例えば特許文献１、特許文献２参照）。
しかし、係る従来技術（特許文献１、特許文献２）では、照明バルーンの膨張／収縮動作及び昇降動作は、数多くの部材を用いた複雑な機構によって行われるため、重量が大きく、製造コストが嵩み、操作が複雑であるという問題を有している。
また、台車を含めた照明機全体がかなり大きいので、手狭な工事現場等においては、設置スペースの確保が問題となる。
【０００３】
その他の従来技術として、可撓性を備えた光散乱用のバルーンによって照明用の光源を覆い、照明装置周囲を広範囲に照らすことができると共に、バルーン自体が自立性を有しているため、照明器具が傾倒しても自立した姿勢に復帰することができる照明器具が開示されている（例えば、特許文献３参照）。
しかし、この従来技術（特許文献３）は、入れ子式の伸縮型の軸部によって、接地部と照明バルーンとが接続されており、軸部の質量が大きいため、自立性を持たせる機能を有する接地部の質量をさらに大きくしなくてはならない。そのため、照明器具全体の重量が大きくなってしまうと言う問題を抱えている。
【先行技術文献】
【特許文献】
【０００４】
【特許文献１】特開２００４−９５５１７号公報
【特許文献２】特開２００５−３１０４４２号公報
【特許文献３】特開２００７−２９４３０１号公報
【発明の概要】
【発明が解決しようとする課題】
【０００５】
本発明は上述した従来技術の問題点に鑑みて提案されたものであり、照明部分が伸縮自在であり、軽量且つ簡単な構造で、使用時には設置箇所に直立して設置され、物或いは人が衝突して傾倒しても、直立状態に復元する照明装置の提供である。
【課題を解決するための手段】
【０００６】
本発明の照明装置は、設置面（照明装置を設置する面：本明細書では、路面、地面、傾斜面、工事現場の地面、工場の床面、その他を全て包含する意味で用いられている）に接触する基部（１）と、前記基部（１）の上方に配置される中空部材（拡散発光部２：風船）と、前記基部（１）は部分的球面の湾曲面（１１）を有し、前記湾曲面（１１）の曲率中心（Ｃｒ）は中心線（Ｌｃ）上にあって、使用時の全体の重心（Ｃｇ）は前記曲率中心（Ｃｒ）の下方に位置している照明装置において、前記基部（１）は前記湾曲面（１１）の下側に前記設置面と接触する平面（１１Ｈ）が形成され、前記湾曲面（１１）の上側に円筒部（１２）が形成され、前記基部（１）は剛性の高い材料（例えばステンレス）で構成され、そしてその内部には前記中空部材（２）に空気を供給するファン（３）と、発光体（４）とを収容しており、そして空気取入口（１３）が設けられ、前記中空部材（２）は可撓性を有し、そして透光性を有する材料で構成されており、前記ファン（３）は前記中空部材（２）を膨張させると共に発光体を冷却することを特徴としている。
【０００７】
本発明において、発光体（４）としては、例えば、電力消費が少なく、寿命が長い発光ダイオード（ＬＥＤ）を用いることが好ましい。
そして、ＬＥＤ単体により発光体を構成しても良いし、あるいは、各々がレンズを有している複数のＬＥＤにより発光体を構成することも出来る。
【０００８】
また本発明において、基部（１）と中空部材（２）とは取り付け及び取り外し自在な構造（例えば、照明用生地着脱ファスナー７Ａ、７Ｂ）で結合されているのが好ましい。
【０００９】
本発明において、ファン（３）を基部（１）側に設けて、基部（１）に重量を集中させることが好ましい。
しかし、ファン（３）を中空部材（２）側に設けることも可能である。
【００１０】
さらに本発明において、中空部材（２）の基部（１）に結合しない側の端部には、光を反射する部材が設けられているのが好ましい。
【発明の効果】
【００１１】
上述する構成を具備する本発明の照明装置（１０１）によれば、基部（１）に収容された発光体（４）から中空部材（２）側へ光を照射すると、中空部材（２）は透光性のある領域を有しているため、当該透光性のある領域から光が周囲に散乱して、照明として機能する。
そして、光が散乱する部分である中空部材（２）は可撓性を有する材料で構成されているので、人間或いは物が衝突しても中空部材（２）が破損することはなく、接触しても火傷を負う恐れがない。
【００１２】
ここで、本発明において、発光体（４）は基部（１）に収容されており、中空部材（２）の上方に配置されている訳ではないので、従来技術のように、剛性を有する軸部材を設ける必要がない。
そのため、装置全体を軽量化することが出来て、一人で容易に運搬することが可能である。
【００１３】
本発明によれば、中空部材（２）は可撓性を有する材質で構成されており、ファン（ＬＥＤ冷却用兼発光部緊張用ファン３）により空気を供給されると膨張するので、照明装置として使用されていない場合にはファン（３）を停止して、中空部材（２）を収縮して、照明装置（１０１）全体をコンパクトにすることが出来る。
そのため、運搬が容易となり、且つ、不使用時における収容スペースを節約することが出来る。
【００１４】
また、本発明によれば、基部（１）は発光体（４）を収容しており、発光体（４）自体がウエイトとして作用するので、重量は下方の基部（１）に集中し、照明装置（１００）全体の安定性が良好である。
また、基部（１）下方の設置面（路面、地上面、工事現場の面、工場の床面等を全て包含する意味で用いられている）側の領域は平面（１１Ｈ）と湾曲面（１１）で構成され、基部（１）と設置面（Ｆ）とが接触しているので、いわゆる「やじろべえ」と同様に、中空部材（２）が左右に揺動しても、基部（１）下方の平面（１１Ｈ）及び／又は湾曲面（１１）と、設置面（Ｆ）との接点が変動するのみで、照明装置全体は転倒しない。
【００１５】
そして、本発明の装置（１０１）は転倒することがなく、且つ、安定性が良好であるため、従来の照明装置では配置することが困難であった傾斜地にも配置可能である。
また、作業者の足が基部に衝突しても、基部（１）と設置面（Ｆ）とが接触しているので、基部（１）全体が容易に揺動して衝撃を逃がすことができて、基部（１）の破損が防止され、作業者に安全な照明装置を提供することが出来る。
【００１６】
本発明において、発光体（４）としてＬＥＤを選択すれば、電力消費量が低減されるので、一台の電源で本発明の照明装置を多数（例えば１０台程度）連結して使用することが可能である。
【００１７】
また本発明において、発光部分である中空部材（２）と基部（１）とを取り付け及び取り外し自在な構造（例えば、照明用生地着脱ファスナー７Ａ、７Ｂ）で結合すれば、発光部分（２）の形状を変更することが可能である。
それと共に、基部（１）のみを単体の照明部材として使用することが出来る。
【００１８】
さらに本発明において、発光体（４）としてＬＥＤを選択し且つコントローラーを追加することで、照明輝度を無段階に変更して、ＬＥＤを複数色にして適宜変色させることが可能になる。
そして、状況に合わせて最適な照明とすることが出来るので、工事現場等の照明のみならず、その適用範囲を拡大することが可能である。例えば、照明装置の機体そのものをイルミネーション用の電灯として使用し、イベント会場等における照明とすることも可能である。
【図面の簡単な説明】
【００１９】
【図１】本発明の第１実施形態を示す正面断面図である。
【図２】第１実施形態で用いられる発光ダイオードを示す側面図である。
【図３】第１実施形態の基部を示す図１のＡ−Ａ線断面図である。
【図４】従来の発光器具の電源ケーブルの引き出し方向を示す模式図である。第１実施形態における発光ダイオードの電源ケーブルの引き出し方向を示す模式図である。
【図５】第１実施形態における発光体の変形例の側面図である。
【図６】本発明の第１実施形態における照明装置を傾倒させた際の、照明装置の復帰の原理を説明する正面断面図である。
【図７】本発明の第２実施形態を示す正面断面図である。
【図８】本発明の第３実施形態を示す正面断面図である。
【図９】第３実施形態における発光ダイオードの配置を示す図８のＢ−Ｂ線断面図である。
【図１０】第３実施形態における発光ダイオードの正面図である。
【図１１】本発明の第４実施形態を示す正面断面図である。
【図１２】本発明の第５実施形態を示す正面断面図であり、垂直軸方向に伸張した図である。
【図１３】図１２に対して、垂直軸方向に所定の高さに収縮させた状態図である。
【図１４】図１２に対して、伸縮部を格納した状態図である。
【図１５】本発明の第６実施形態における輪状部材及びスプリング部材を示す正面断面図であり、垂直軸方向に伸張した図である。
【図１６】第６実施形態において、輪状部材及びスプリング部材を垂直軸方向に収縮させた状態を示す正面断面図である。
【発明を実施するための形態】
【００２０】
以下、添付図面を参照して、本発明の実施形態について説明する。
最初に、図１〜図５に基づいて、本発明の第１実施形態を説明する。
図１において、全体を符号１０１で示す照明装置は、基部１、拡散発光部（中空部材、或いは風船）２、電動ファン３、発光源であるＬＥＤ４、頭頂部５を有している。
基部１は、例えばステンレス鋼板によって回転体形状に製造されており、平面１１Ｈ及び湾曲面１１と、平面１１Ｈ及び湾曲面１１の上方における円筒部１２を有している。ここで、湾曲面１１は部分的球面の形状をしており、湾曲面１１の下側に平面１１Ｈが形成されている。
【００２１】
基部１の円筒部１２の外周面には、電源用コネクタ１５、連結用コネクタ１６、ＬＥＤ点灯用スイッチ１７、電源表示灯１８が配置されている。
基部１の内部には、電動ファン（以下、「ファン」と記載する）３と、ＬＥＤ４（発光体）が収容されている。
ファン３は、可撓性を有する拡散発光部（風船）２を膨張し、ＬＥＤ４の冷却を行なうために設けられている。ファン３は、図示しないブラケットによって、基部１の円筒部１２の内周面に取り付けられている。
【００２２】
なお、基部１の内部において、中心軸Ｌｃに対してファン３の反対側位置に、ファン３と同一質量のカウンターウェイト（図示せず）を取り付けて、照明装置１０１全体の重心が中心軸Ｌｃ上となる様に調節することも可能である。
図１において、基部１の円筒部１２におけるファン３の近傍の領域には、空気取入口１３が開口している。そして、空気取入口１３には、塵や埃が基部１内に侵入するのを防ぐために、例えば網状の防塵部材１４が設けられている。
【００２３】
ファン３が作動すると、防塵部材１４及び空気取入口１３を介して大気が基部１内に侵入し（矢印Ａｆ１）、ＬＥＤ４を冷却する（矢印Ａｆ２）。ＬＥＤ４を冷却した空気（矢印Ａｆ２）は、頭頂部５の頂部に設けた複数の通風用小孔５１から排出される（矢印Ａｆ３）。
ファン３により吸い込まれた大気が頭頂部５の通風用小孔５１から排出される直前に、当該大気によって拡散発光部２が膨張する。そして、照明装置１０１が立ち上がった状態（或いは、自立した状態）になる。
ここで、ファン３により吸い込まれた大気の排出用部材は通風用小孔５１に限定されるものではない。拡散発光部２（風船）を、例えば布を円筒状に縫製して製造する場合には、ジョイント部（布の縫い合わせ部）における隙間から、ファン３により吸い込まれた大気を排出することが可能である。
【００２４】
ここで、拡散発光部２の上端部に、ファン３の空気取入口１３を設けると、当該空気取入口１３から基部１内に雨水が浸入する恐れがある。
それに対して、図１の第１実施形態では、空気取入口１３を基部１の外周面に形成しているため、雨水が基部１内に浸入したとしても、その浸入量は極めて少ない。
また、頭頂部５頂部における通風用小孔５１の開口面積は小さく、且つ、拡散発光部２から常時空気が排出されているので、当該小孔５１を介して雨水が拡散発光部２に浸入することは殆ど無く、問題は生じない。
【００２５】
図１において、符号Ｒは湾曲面１１の曲率半径を示し、符号Ｃｒは湾曲面１１の曲率中心を示し、符号Ｃｇは照明装置１０１全体の重心を示している。
ここで、照明装置１０１全体の重心Ｃｇは、照明装置１０１の中心線Ｌｃ線上にあることが好ましい。そして、照明装置１０１全体の重心Ｃｇは、曲率中心Ｃｒと湾曲面１１の外表面との間に存在することが好ましく、さらに、平面１１Ｈ及び／又は湾曲面１１近傍に位置していることが好ましい。
照明装置１０１全体の重心Ｃｇが、曲率中心Ｃｒと湾曲面１１との間、特に湾曲面１１近傍に位置してれば、照明装置１０１が傾いたとしても、いわゆる「やじろべえ」や「起き上がりこぼし」と同様な作用により、直立した状態に復元し易くなるからである。
なお、照明装置１０１が傾いても、直立した状態へ復元するメカニズムに関しては、図６を参照して後述する。
【００２６】
連結用コネクタ１６は、複数の照明装置１０１を直列に結線する場合に用いられる。
すなわち、複数の照明装置１０１の内の任意の１台における電源用コネクタ１５を電源と接続して、その他の照明装置１０１は、当該電源と接続された照明装置１０１と、連結用コネクタ１６及び連結用コードを用いて接続する。換言すれば、電源と接続された照明装置１０１を経由して、その他の照明装置１０１に電力が供給される。
ここで、複数の照明装置１０１を直列に結線した場合でも、電源と直接接続された照明装置１０１のみを点灯することが可能である。
もちろん、複数の端子を備えた接続器具（例えば、テーブルタップ）を用いて、複数の照明装置１０１を電源に並列に接続しても良い。
【００２７】
図１の例では、ＬＥＤ点灯用スイッチ１７は、ＬＥＤ４の点灯と同時にファン３を駆動し、ＬＥＤ４の消灯と同時にファン３を停止する様に構成されている。
電源表示灯１８は、電力が供給されている場合に、点灯するように構成されている。係る電源表示灯１８を確認すれば、電源表示灯１８が点灯しており、電力が供給されているにも拘らず、ＬＥＤ４が点灯していない場合には、ＬＥＤ４或いはその回路に異常が生じたことが確認出来る。同様に、電源表示灯１８が点灯しているにも拘らず、ファン３が回転していない場合には、ファン３或いはその回路に異常があることが確認できる。
【００２８】
図２で示すように、ＬＥＤ４は、円錐台状のベース４１、放熱フィン４２、半球形のレンズ或いは透明カバー４３、ＬＥＤ本体６０を有している。
放熱フィン４２は、円錐台状のベース４１上に同心に配置されている。
ＬＥＤ本体６０は、放熱フィン４２の頂部の中心に配置されている。
【００２９】
ベース４１は、基部１の湾曲面１１底部の至近位置に配置されている（図１参照）。
そして、ベース４１は、比重が大きな金属（例えば鋳鉄）製であることが好ましい。
ベース４１を係る材料（比重が大きな金属）で製造することにより、照明装置１０１の重心を下方に位置させて、照明装置１０１が傾いた場合に直立位置に復元する復元性を増加して、安定性を向上することが出来るからである。
なお、上述の復元性に関しては、図６を参照して後述する。
【００３０】
図２において、ＬＥＤ４の電源ケーブル４４を横方向に引き出している。すなわち、図２において、電源ケーブル４４はベース４１の側面から左右方向（図２では右側）に延在している。
図４で示す従来のＬＥＤ４Ｊでは、電源ケーブル４４Ｊが、ベース４１の底部から下方に延在している。しかし、電源ケーブル４４Ｊは、ベース４１の底部から下方に延在させた場合には、ＬＥＤ４Ｊを基部１（図１参照）内に収容した場合に、ベース４１底部が基部１の湾曲面１１底部に極めて近くなるため、電源ケーブル４４Ｊが基部１の湾曲面１１に当接して、強制的に折れ曲げられてしまうので、破損する恐れがある。
これに対して、図２で示すように、ＬＥＤ４の電源ケーブル４４を横方向に引き出せば、電源コード４４は基部１の平面１１Ｈ及び／又は湾曲面１１に当接せず、強制的に折れ曲げられてしまうこともなく、破損の恐れもない。
【００３１】
図３において、ＬＥＤ４は、ＬＥＤ固定用ステー６によって、基部１の内部に宙吊り状態となって取り付けられる。図示の実施形態では、ＬＥＤ固定用ステー６は、同一形状の３ピースより構成されている。
ＬＥＤ固定用ステー６は、円周方向部材６１と半径方向部材６２を有し、全体が薄板で１枚の帯状鋼板が折曲加工されて形成されている。そして、図示の実施形態では、円周方向部材６１と半径方向部材６２も３個ずつ設けられている。
【００３２】
円周方向部材６１は、部分円弧状に形成されて円周方向に延在する部材である。そして円周方向部材６１は、他の２つの円周方向部材６１と共に、ＬＥＤ４の放熱フィン４２に当接して、ＬＥＤ４を保持している。
半径方向部材６２は、円周方向部材６１と連続して半径方向外方に延在している。
半径方向部材６２において、円周方向部材６１とは反対側の端部には、半径方向部材６２に対して直角に折り曲げられた取り付け部６３が形成されている。この取り付け部６３は、ボルトナットＢＮ等の取付手段によって、基部１の円筒部１２の内周面１２ｉに取り付けられる。
【００３３】
円周方向部材６１において、半径方向部材６２と連続している箇所の反対側端部には接続部６４が形成されており、接続部６４は半径方向外方に向かって延在している。
この接続部６４は、隣接するＬＥＤ固定用ステー６の半径方向部材６２に、ボルトナットＢＮ等によって接続されている。そして、接続部６４が半径方向部材６２に接続されている位置は、半径方向部材６２における半径方向内方の位置（円周方向部材６１の近傍の位置）である。
【００３４】
再び図１において、拡散発光部２の材料は、可撓性を有し、透光性、遮光性があって、必要な強度があれば、特に限定するものではない。
図示の実施形態においては、拡散発光部２は、例えば、防炎加工が施されており、所定の強度があり、透光性、遮光性を有する布を円筒状に縫製して、製造されている。
上述した様な材料（例えば、布）製の拡散発光部２は、その外周面に文字や図形を描くことが可能である。拡散発光部２の外周面に文字や図形を描くことにより、照明装置１０１は、照明機能のみならず、広告機能をも併せ持つことができる。
【００３５】
発光体としてＬＥＤ４を用いた場合には、ＬＥＤから照射される光の直進性が高い。そのため、光を反射する性質を持つ材料で頭頂部５の内周面を構成して、ＬＥＤ４からの光を頭頂部５の内周面で反射させて、散乱させることが好ましい。
図１〜図５の第１実施形態では、頭頂部５は、拡散発光部２の材料と同様な材料で構成されていても良いし、或いは、拡散発光部２の材料とは異なる材料、例えば比重の小さな樹脂で構成しても良い。
頭頂部５は、半球容器状に形成されている。そして頭頂部５の内周面全体には、例えば、アルミニウムフィルム等の反射部材が設けられており、ＬＥＤ４から照射される光を反射部材で反射するように構成されている。
ここで、頭頂部５を、例えば乳白色で半透明の樹脂製にすることも可能である。頭頂部５を乳白色で半透明の樹脂で構成することにより、照明装置１０１の上方の領域にも、柔らかな光が散乱される。
【００３６】
頭頂部５の頂部近傍には複数の通風用小孔５１が形成されている。
上述した様に、ファン３が作動した場合、基部１の空気取入口１３から取り込まれた空気が、円筒状の拡散発光部２を膨張させつつ上方に流過する（吹き抜ける）。そして、複数の通風用小孔５１を介して、当該空気は拡散発光部２外に排出される。
ここで、例えば布を円筒状に縫製して拡散発光部２（風船）を製造する場合には、拡散発光部２（風船）における布のジョイント部（布の縫い合わせ部）の隙間から、ファン３により吸い込まれた大気を排出することが可能である。
【００３７】
図１において、基部１と拡散発光部２との境界部にはファスナー或いは面ファスナー７Ａが設けられており、該ファスナー７Ａは発光部２と基部１とを着脱する機能を有している。
また、発光部２と頭頂部５との境界部にもファスナー或いは面ファスナー７Ｂが設けられており、ファスナー７Ｂは拡散発光部２と基部１とを着脱させる機能を有している。
ここで、基部１と拡散発光部２を着脱する機構としては、ファスナー７Ａに限定される訳ではない。容易に（例えば、一動作で）且つ確実に、基部１と拡散発光部２を着脱する（取り付け／取り外す）ことが出来る機構であれば、全ての機構が適用可能である。発光部２と頭頂部５を着脱する機構も同様である。
【００３８】
ここで、拡散発光部２の材料は、例えば布で製造されており、クリーニングが可能である。
拡散発光部２の汚れがひどくなれば、透光性、透過性が低減し、照明装置１０１の照度も低減する。その様な事態を防止するためには、拡散発光部２の汚れがひどくなる以前の段階で、拡散発光部２を洗浄すれば良い。
係る洗浄を行なうに際しては、ファスナー７Ａを開いて拡散発光部２を基部１から取り外し、ファスナー７Ｂを開いて頭頂部５を拡散発光部２から取り外す。これにより、拡散発光部２は単品となり、容易に洗浄することが出来る。
【００３９】
図５は、図１〜図３で示す第１実施形態において、ＬＥＤ４を上部に設置した例を示している。
図５におけるＬＥＤ４Ａは、ＬＥＤ本体６０の上方を、半球型の透明レンズ４５で覆っている。
ここで、ＬＥＤ４から照射される光が散乱して、照明装置１０１の周辺部の輝度、照度が向上するように、半球型の透明レンズ４５の内周面は、例えば、ＬＥＤ本体６０の光を乱反射させるべく、多数の面が交錯した凹凸面に構成されていても良い。
【００４０】
図６は、図１〜図５の第１実施形態において、直立した状態の照明装置１０１に、例えば人間が衝突して傾いた場合や、倒れてしまった場合において、接地点Ｐと重心Ｃｇの相対的な位置関係に起因して、照明装置１０１が直立する復元力が作用するメカニズムを示している。
図６は、照明装置１０１が既に傾いており、湾曲面１１の中心から離隔した位置にある点Ｐにおいて、床面Ｆに接している状態を示している。
【００４１】
図６において、照明装置１０１全体の重心Ｃｇは、湾曲面１１の曲率中心Ｃｒを含む中心軸Ｌｃ上にあり、図６で示す状態（照明装置１０１が傾斜した状態）では、接地点Ｐと重心Ｃｇとは、水平距離Ｌだけオフセットが存在する。
図６で示す状態において、重心Ｃｇには照明装置１０１の全質量Ｗが作用するとみなせるので、照明装置１０１には、湾曲面１１の曲率中心Ｃｒ回りに、モーメントＭが作用する。
ここで、モーメントＭは、照明装置１０１の全質量Ｗに前記オフセット量Ｌを乗じた値となり、Ｍ＝Ｗ×Ｌである。
【００４２】
モーメントＭは、曲率中心Ｃｒを中心として、照明装置１０１を図６において反時計方向に回転するように作用する。図６において、符号Ｍ１で示す矢印は、モーメントＭが作用する方向を示している。
このモーメントＭは、照明装置１０１の傾きを解消して、直立状態に復帰させる方向に作用する。
ここで、図６は照明装置１０１が傾いた場合について説明しているが、照明装置１０１が転倒した場合においても、モーメントＭの作用により、照明装置１０１は直立した状態に復帰することが出来る。
【００４３】
ここで、湾曲面１１の曲率中心Ｃｒから重心Ｃｇまでの距離Ｈが大きくなるほど、照明装置１０１が傾いた場合における接地点Ｐと重心Ｃｇとの水平距離Ｌも大きくなり、モーメントＭも大きくなる。
換言すれば、質量の大きなベース４１を、基部１の湾曲面１１の底部１１ｂに近接して配置すれば、照明装置１０１を直立状態に復元するように作用する前記モーメントＭが大きくなるので、好適である。
【００４４】
図１〜図６を参照して説明した第１実施形態によれば、基部１にＬＥＤ４が取り付けられているため、基部１より上方の拡散発光部２には、電源ケーブルを設ける必要がなく、従来（特許文献１）の質量の大きな軸部に相当する部分が不要である。
しかも、拡散発光部２及び頭頂部５は、比重が小さく、軽量な素材（例えば、布、比重の小さな樹脂等）から構成されるため、照明装置１０１全体を大幅に軽量化できる。
そのため、照明装置１０１の運搬、設置が容易になる。
【００４５】
また、第１実施形態では、湾曲面１１の曲率中心Ｃｒよりも下方に照明装置１０１全体の重心Ｃｇが位置している。このため、人間や物が照明装置１０１に衝突して、照明装置１０１が傾斜した場合や、転倒した場合でも、図６で示すように、曲率中心Ｃｒ回りのモーメントＭが作用するので、照明装置１０１は直立した状態に復帰できる。
そして、照明装置１０１は直立状態に復元する機能を奏しており、且つ、重心Ｃｇが下方に位置しているため、照明装置１０１が安定している。そのため、照明装置１０１を傾斜箇所に配置しても、転倒することなく、設置箇所の周囲へ光を散乱させることができる。
【００４６】
第１実施形態では、基部１上方の拡散発光部２、頭頂部５を取り外し、基部１の上端に、例えば、透光性材料（例えば、ガラスや樹脂）の蓋を嵌めることにより、発光源であるＬＥＤ４を内蔵した基部１のみを照明装置として用いることが可能である。
【００４７】
また、第１実施形態によれば、拡散発光部２に文字や図形を表示することにより、発光時には、当該文字や図形がより一層目立ち、広告機能を発揮することが可能である。
ここで、第１実施形態によれば、拡散発光部２或いは頭頂部５の何れかを発光させることができるし、拡散発光部２及び頭頂部５の双方を発光させることもできる。
【００４８】
第１実施形態において、基部１を図１のようにステンレス鋼板で製作すれば、基部１の内部、外部共に塗装或いは表面処理する必要がない。また、メンテナンスが容易である上、丈夫で（発錆し難く）且つ汚れに強い。
さらに、基部１をステンレス鋼板で製作すれば、ＬＥＤ４の光は、湾曲面１１の底部で反射し、反射した光は、拡散発光部２に向かい、拡散発光部２で散乱して、周囲を柔らかな光で照らす。
また、第１実施形態において、光を反射する性質を持つ材料で頭頂部５の内周面を構成して、ＬＥＤ４からの光を頭頂部５の内周面で反射させて、散乱させる様に構成すれば、直進性が高いＬＥＤ４からの照射光を、効果的に散乱させることが出来る。
【００４９】
第１実施形態によれば、図２で示したように、電源ケーブル４４は、ＬＥＤ４のベース４１の側部から引き出されているので、ＬＥＤ４の設置位置を基部１の底部の至近位置まで接近させても、電源ケーブル４４が折れ曲がって破損してしまうことがない。
そして、ＬＥＤ４の設置位置を基部１の底部の至近位置まで接近させることが出来るので、照明装置１０１全体の重心Ｃｇを下方に位置させることが出来て、照明装置１０１の安定性が向上する。
また、重心Ｃｇと湾曲面１１（平面１１Ｈを除く）の曲率中心Ｃｒとの距離（寸法）Ｈを大きく採ることができるので、照明装置１０１が傾いたときの復元力（モーメントＭ）が増大する。
【００５０】
さらに第１実施形態によれば、ＬＥＤ４がＬＥＤ固定用ステー６によって、基部１の外周から離隔して保持されているため、照明装置１０１が転倒しても、転倒時の衝撃でＬＥＤ４が破損してしまうことが防止される。
また、ＬＥＤ４の支持部材であるＬＥＤ固定用ステー６は、薄板で１枚の帯状の鋼材が用いられているため、適度な弾性を有している。そのため、係る弾性によって、基部１に人や物が衝突した時の衝撃から、ＬＥＤ本体６０が保護される。
【００５１】
次に、図７を参照して、本発明の第２実施形態を説明する。
図７において、第２実施形態に係る照明装置は、全体を符号１０２で示されている。
図１〜図６の第１実施形態では、ファン３は基部１に設けられているのに対して、図７の第２実施形態では、拡散発光部２Ａ内部にファン３を配置している。
そして、ファン３に相当する位置には、空気取入口２１が開口しており、防塵部材２２が設けられている。
一方、基部１Ａの円筒部１２Ａにおける外周面の円周上で、ファン３とは反対側の位置に空気排出孔１５が形成されている。図７では図示を省略しているが、空気排出孔１５には全域に防塵部材が張られている。
【００５２】
図７の第２実施形態では、空気を取り込むための開口が高い位置にあるため、床や地面、路面等の設置面から埃や異物が侵入し難くなる。
図７の第２実施形態においても、冷却用空気の吸入・排出孔は照明装置１０２の外周面（側部）に形成してあるため、雨水がＬＥＤ４の設置部に浸入し難い。
第２実施形態においても、ファン３を介して吸い込まれた空気により、拡散発光部２Ａが膨張する。
【００５３】
図示はされていないが、ファン３及び空気取入口２１を基部１に設け、空気排出孔１５を拡散発光部２Ａに設けても良い。
第２実施形態において、上述した以外の構成及び作用効果については、図１〜図６の第１実施形態と同様である。
【００５４】
次に、図８〜図１０を参照して、本発明の第３実施形態を説明する。
図８において、第３実施形態に係る照明装置は、全体を符号１０３で示されている。
図８〜図１０の第３実施形態は、図１〜図７の第１、第２実施形態とは、発光体の構造が異なっている。
図１〜図７の各実施形態では、ベース４１の上部にＬＥＤ本体６０を備えているＬＥＤ４を発光体として用いている。
それに対して、図８〜図１０の第３実施形態における発光装置４Ｂは、複数のＬＥＤ４６を有しており、個々のＬＥＤ４６にレンズ４７を被せている。
【００５５】
第３実施形態に係る照明装置１０３の発光装置４Ｂは、図９に詳細を示すように、多数のＬＥＤ４６により構成されており、個々のＬＥＤ４６の各々は、照射側がレンズ４７に覆われており、レンズ４７はＬＥＤ４６の保持部材を兼ねている。
各々のレンズ４７は隣接する他のレンズ４７と接触して、ハニカム状の集合体を構成しており、ケーシング４８に収容されている。ケーシング４８は、その下方領域が湾曲した形状となっている。
ケーシング４８の下端には円筒状の配電部４９が設けられ、配電部４９の側面より電源ケーブル４４が引き出されている。
【００５６】
図８において、照明装置１０３の発光装置４Ｂは、基部１Ｂ内の底部近傍に配置されている。
第３実施形態の照明装置１０３の発光装置４Ｂは、散乱が良好になる加工を施した多数のレンズ４７が用いられているため、ＬＥＤ４６からの照射光が照明装置１０３の周辺に良好に散乱されて、周囲の輝度が向上する。
【００５７】
第３実施形態における上述した以外の構成及び作用効果については、図１〜図６の第１実施形態と同様である。
【００５８】
次に、図１１を参照して、本発明の第４実施形態について説明する。
図１１において、第４実施形態に係る照明装置は、全体を符号１０４で示されている。
第４実施形態に係る照明装置１０４は、基部１Ｂを除く部分２５（図１における拡散発光部２及び頭頂部５）の全体が、球形に構成されている。
【００５９】
図１１において、部分２５の頂部（図１における頭頂部５に相当する部分）には、排気用の小孔２５０が複数形成されている。ここで、排気手段は小孔２５０に限定されるものではなく、例えば布を円筒状に縫製して部分２５を製造する場合には、部分２５の布のジョイント部（布の縫い合わせ部）における隙間から、ファン３により吸い込まれた大気を排出することが可能である。
図１１では、基部１Ｂに配置される発光装置として、図８〜図１０の第３実施体の発光装置４Ｂが示されている。しかし、図１〜図７におけるＬＥＤ４を用いることも出来る。
第４実施形態における上述した以外の構成及び作用効果は、図１〜図１０の各実施形態と同様である。
【００６０】
次に、図１２〜図１４を参照して、本発明の第５実施形態について説明する。
図１２〜図１４において、第５実施形態に係る照明装置は、全体を符号１０５で示されている。
図１２〜図１４の第５実施形態は、拡散発光部２Ｂが伸縮可能に構成されている。
【００６１】
図１２において、照明装置１０５は、明確には図示されていないが、基部１については、第１実施形態或いは第３実施形態と同様である。
第５実施形態に係る照明装置１０５において、拡散発光部２Ｂは、例えば、耐久性が高く、可撓性に飛んだ布状の材料（例えば、丈夫な和紙）を筒状に形成し、内部に複数本の輪状部材（例えば、籤：ひご）８を所定の間隔で取り付けて構成している。
拡散発光部２Ｂの布状材料（和紙）は、隣接する輪状部材８の中間で、予め折り目を形成しても良い。
【００６２】
第５実施形態の照明装置１０５は、基部１に内蔵された図示しないファンからの送風の圧力に代えて、或いは、ファンからの送風による圧力に加えて、拡散発光部２Ｂ内側の骨組みである輪状部材８によって、図１２で示す様な膨張した状態になる。
また、ファンを停止させ、照明装置１０５の頭頂部５Ｂを下方に押し込めば、図１３に示すように、拡散発光部２Ｂは収縮した状態となる。
さらに、頭頂部５Ｂを下方に押し込めば、図１４に示すように、縮んだ拡散発光部２Ｂを、頭頂部５Ｂ内に収容することが出来る。
【００６３】
図示は省略するが、複数の輪状部材ではなく、可撓性を有し且つ弾性反発力が比較的小さい材料製のコイル状部材（スパイラル状部材：圧縮スプリング）によって、拡散発光部２Ｂ内側の骨組みを構成することも出来る。
スパイラル状部材で圧縮スプリングを構成した場合には、ファンを停止して拡散発光部２Ｂ内への大気の供給を停止すれば、圧縮スプリングの弾性反撥力により拡散発光部２Ｂが収縮して、頭頂部５Ｂ内に収容することが出来る。
第５実施形態における上述した以外の構成及び作用効果については、図１〜図１１の各実施形態と同様である。
【００６４】
図１５及び図１６は、本発明の第６実施形態を示す。
図１５及び図１６の第６実施形態は、図１２〜図１４の第５実施形態の変形に係るものであり、複数の輪状部材８０と、複数のスプリング部材８２とを有している。スプリング部材８２は、上下方向に隣接する輪状部材８０の間において、部分的ならせん形状で、２本ずつ配置されており、輪状部材８０とスプリング部材８２とは、接続箇所８２Ｃで結合されている。輪状部材８０は金属や籤（ひご）等で構成されており、スプリング部材８２は、いわゆる「バネ材」の様に弾性反撥力が強い材料で構成されている。そして、スプリング部材８２の弾性反撥力は、輪状部材８０同士を引っ張る方向に作用している。
【００６５】
輪状部材８０とスプリング部材８２は、拡散発光部（風船：図１５、図１６では図示せず）内側の骨組みであり、輪状部材８０は複数箇所で拡散発光部（風船）を構成する材料（生地等）に固定されているが、スプリング部材８２は拡散発光部（風船）を構成する材料（生地等）には固定されていない。
輪状部材８０は複数箇所で拡散発光部（風船）を構成する材料（生地等）に固定するに際しては、拡散発光部（風船）を構成する材料（生地等）を捻りながら行なう。
そのため、図１６で示す様な収縮状態では、拡散発光部（風船）を構成する材料（生地等）には捻る力（円周方向の応力）が作用する。
【００６６】
上述した実施形態のように、ファン３を作動して拡散発光部（風船）を膨張させると、輪状部材８０とスプリング部材８２から成る骨組みは、スプリング部材８２の弾性反撥力に抗して、図１５で示す様に伸長する。図１５の状態において、拡散発光部（風船）を構成する材料（生地等）には捻る力（円周方向の応力）は作用していない。
ファン３を停止すると、輪状部材８０とスプリング部材８２から成る骨組みは、スプリング部材８２の弾性反撥力によって、図１６で示す様に収縮する。その際に、拡散発光部（風船）を構成する材料（生地等）には捻る力（円周方向の応力）が作用して、輪状部材８０とスプリング部材８２から成る骨組みは、横方向に傾いたり、倒れること無く、図１６で示す様に収縮する。
【００６７】
図示はされていないが、第６実施形態において、上下方向に隣接するスプリング部材８２は、らせん形状に延在している向きが相互に逆向きになる様に配置して、捩り方向（円周方向の変位）が上下の隣接するスプリング部材８２同士で反対向きに打ち消すように配置することが可能である。
図１５及び図１６の第６実施形態における上述以外の構成及び作用効果については、図１〜図１４で示す各実施形態と同様である。
【００６８】
図示の実施形態はあくまでも例示であり、本発明の技術的範囲を限定する趣旨の記述ではない。
例えば、図示の実施形態では発光体としてＬＥＤを用いているが、その他の発光手段（例えば、電灯、蛍光灯、水銀灯等）を用いることも出来る。
【符号の説明】
【００６９】
１・・・基部
２・・・拡散発光部
３・・・中空部材に空気を供給するファン
４・・・ＬＥＤ
５・・・頭頂部
６・・・ステー
７Ａ、７Ｂ・・・ファスナー
１１・・・湾曲面
１１Ｈ・・・平面
１２・・・円筒部
１３・・・空気取入口
１４・・・防塵部材
１６・・・連結用コネクタ
【図１】
0005544201.tif 000002
【図２】
0005544201.tif 000003
【図３】
0005544201.tif 000004
【図４】
0005544201.tif 000005
【図５】
0005544201.tif 000006
【図６】
0005544201.tif 000007
【図７】
0005544201.tif 000008
【図８】
0005544201.tif 000009
【図９】
0005544201.tif 000010
【図１０】
0005544201.tif 000011
【図１１】
0005544201.tif 000012
【図１２】
0005544201.tif 000013
【図１３】
0005544201.tif 000014
【図１４】
0005544201.tif 000015
【図１５】
0005544201.tif 000016
【図１６】
0005544201.tif 000017